(57)【要約】【課題】  銅バーに対して容易に分岐線を接続できる分岐用端子台を提供する。【解決手段】  銅バー２を挟持する挟持金具１１と、挟持金具１１に連結された電線接続部１２とを有し、銅バー２の側部を挟持金具１１で挟持させることで状態が保持され、電線接続部１２に電線３を接続することで、電線３が銅バー２に接続される。電線接続部１２は、挟持金具１１に接続された端子座１３と、電線３に取り付けられた圧着端子４を端子座１３に密着させるねじ１４とを有する。【選択図】  図１
2020080253.tif 000002
【特許請求の範囲】
【請求項１】
銅バーを挟持する挟持金具と、前記挟持金具に連結された電線接続部とを有し、
前記挟持金具により前記銅バーの側部を挟持させることで、前記電線接続部に接続された電線が前記銅バーに接続されることを特徴とする分岐用端子台。
【請求項２】
前記電線接続部は、前記挟持金具に接続された座金と、電線に取り付けられた端子金具を前記座金に密着させるねじとを有することを特徴とする請求項１記載の分岐用端子台。
【請求項３】
前記挟持金具は下方に向けて前記銅バーの挟持部が形成されると共に、前記電線接続部は前記挟持金具の上部に箱状のハウジングを有して形成され、
上方から電線を挿入する挿入孔を少なくとも１つ前記ハウジングの天面に有し、
前記ハウジングの内部に、前記挟持金具に連結されて壁状に起立配置された連結金具と、
前記挿入孔から挿入された電線を前記連結金具に押圧する圧接バネとが配置され、
前記挿入孔に挿入された電線が、前記圧接バネに押圧されて前記挟持金具に接続されることを特徴とする請求項１記載の分岐用端子台。
【発明の詳細な説明】
【技術分野】
【０００１】
本発明は、分電盤内等に配設された銅バーに分岐のための電線を接続する際に使用する分岐用端子台に関する。
【背景技術】
【０００２】
分電盤の主幹ブレーカの二次側に配設された主電路は主に銅バーが採用され、銅バーに分岐ブレーカ等が接続されて複数の分岐回路が形成されている。銅バーで二次側電路を形成することで、十分な電流容量を確保できるし、多数の分岐ブレーカの接続を容易なものとしている。
このような銅バーを配設した構成において、特許文献１に開示されているように銅バーを個々に幅方向を縦向きに配置、即ち組み付けた面に直交する方向に向けて配置したものがある。このように縦配置することで、底面にプラグイン型の接続端子を設けたブレーカを、上方から押し込み操作する簡易な操作で銅バーに接続できるし、電流容量を確保できるため、比較的電流容量の大きなブレーカを接続する電路として採用されている。
【先行技術文献】
【特許文献】
【０００３】
【特許文献１】特開２００７−３１１２４５号公報
【発明の概要】
【発明が解決しようとする課題】
【０００４】
上述したように、主電路として銅バーが広く採用されており、ブレーカの接続を容易なものとしているが、ブレーカ以外の機器に電路を分岐したい場合は、銅バーに電線をねじ止めするための孔を設け、電線をねじ締めして電線を接続した。
図７は、このように縦配置して組み付けた３本の銅バー６に分岐ブレーカ５を装着した状態を示し、銅バー６には分岐配線をねじ止めするための孔６ａを設けた構成を示している。図７に示す様に、縦配置された銅バー６に設けられた孔６ａは横向きとなるため、電線をねじ７やボルト８でねじ締めする作業は面倒であったし、孔６ａが無い銅バー６に対しては孔開けから始めなければならず、電線を分岐する作業は面倒であった。
【０００５】
そこで、本発明はこのような問題点に鑑み、銅バーに対して孔開けすること無く、容易に分岐線を接続できる分岐用端子台を提供することを目的としている。
【課題を解決するための手段】
【０００６】
上記課題を解決する為に、請求項１の発明に係る分岐用端子台は、銅バーを挟持する挟持金具と、挟持金具に連結された電線接続部とを有し、挟持金具により銅バーの側部を挟持させることで、電線接続部に接続された電線が銅バーに接続されることを特徴とする。
この構成によれば、銅バーの側部を挟持操作するだけで電線を銅バーに接続させることができる。よって、銅バーに電線をねじ止めするための孔が設けられていなくても、また銅バーに対してねじ締め操作すること無く、簡易な操作で銅バーから分岐配線することができる。
【０００７】
請求項２の発明は、請求項１に記載の構成において、電線接続部は、挟持金具に接続された座金と、電線に取り付けられた端子金具を座金に密着させるねじとを有することを特徴とする。
この構成によれば、電線は端子金具を介して銅バーに接続されるため、接続抵抗を下げることができ、安定した状態で接続できる。
【０００８】
請求項３の発明は、請求項１に記載の構成において、挟持金具は下方に向けて銅バーの挟持部が形成されると共に、電線接続部は挟持金具の上部に箱状のハウジングを有して形成され、上方から電線を挿入する挿入孔を少なくとも１つハウジングの天面に有し、ハウジングの内部に、挟持金具に連結されて壁状に起立配置された連結金具と、挿入孔から挿入された電線を連結金具に押圧する圧接バネとが配置され、挿入孔に挿入された電線が、圧接バネに押圧されて挟持金具に接続されることを特徴とする。
この構成によれば、端子金具を使用せず電線を直接接続できる。そして、電線の挿入方向は分岐用端子台を銅バーへ接続する方向と同一方向であるため、分岐用端子台を銅バーに装着した状態でも容易に電線を挿入できる。
【発明の効果】
【０００９】
本発明によれば、銅バーの側部を挟持操作するだけで電線を銅バーに接続させることができる。よって、銅バーに電線をねじ止めするための孔が設けられていなくても、また銅バーに対してねじ締め操作すること無く、簡易な操作で銅バーから分岐配線することができる。
【図面の簡単な説明】
【００１０】
【図１】本発明に係る分岐用端子台の一例を示し、（ａ）は斜視図、（ｂ）は正面図である。
【図２】閉塞板を取り付けた分岐用端子台の斜視図である。
【図３】他の形態を示し、（ａ）は斜視図、（ｂ）は正面図である。
【図４】図３の分岐用端子台に閉塞板を取り付けた斜視図である。
【図５】銅バーに分岐用端子台を取り付けた説明図である。
【図６】分岐用端子台の他の形態を示す説明図であり、（ａ）は内部構造を示す側面説明図、（ｂ）は閉塞板を取り付けた斜視図である。
【図７】縦配置した銅バーにブレーカを取り付けた説明図である。
【発明を実施するための形態】
【００１１】
以下、本発明を具体化した実施の形態を、図面を参照して詳細に説明する。図１，２は本発明に係る分岐用端子台の一例を示し、図１（ａ）は斜視図、図１（ｂ）は正面図、図２は閉塞板を取り付けた斜視図である。分岐用端子台１は、図１に示すように直方体形状のハウジング９を有し、内部に銅バー２を挟持する挟持金具１１と、電線接続部１２とが配置されている。
【００１２】
挟持金具１１は、ハウジング９の開放されている下部に配置され、前後方向に配設された銅バー２の側部を挟持するようコ字状に形成され、下方に向けて挟持部が形成されている。挿入された銅バー２を金属の弾性を利用して挟持し、挟持することで分岐用端子台１の位置が固定されるよう、挟持金具１１の先端部は内側に湾曲形成されている。
電線接続部１２は、この挟持金具１１に連続形成されて挟持金具１１の上部に折り曲げて配置された平坦な端子座１３を有している。端子座１３は中央にねじ孔１３ａが設けられ、このねじ孔１３ａにねじ１４を螺入することで、端子座１３に電線３が連結される。
電線３には圧着端子４が取り付けられ、この圧着端子４が端子座１３にねじ１４により圧接されて連結される。
【００１３】
ハウジング９は、下部が下方に加えて前後方向に開口され、銅バー２の挿入を可能としている。そして、側面には圧着端子４を挿入するための挿入孔１５が開口形成され、天面にはねじ１４を操作するための操作孔１６が設けられている。そして、図２に示す様に、開放された前面は閉塞板１０により閉塞される。閉塞板１０は、塵等の侵入を防止するために取り付けられる。
尚、ハウジング９の背面は閉塞されているが、開口形成して前面と同様に閉塞板１０で閉塞しても良い。
【００１４】
このように、銅バー２の側部を挟持操作するだけで電線３を銅バー２に接続させることができる。よって、銅バー２に電線３をねじ止めするための孔２ａが設けられていなくても、また銅バー２に対してねじ締め操作すること無く、簡易な操作で銅バー２から分岐配線することができる。
そして、端子金具である圧着端子４を使用することで、接続抵抗を下げることができ、安定した状態で接続できる。
【００１５】
図３，４は分岐用端子台１の他の例を示し、（ａ）は斜視図、（ｂ）は正面図、図４は閉塞板を取り付けた斜視図である。
銅バー２との連結部は、上記形態と同様に前後方向に配設された銅バー２を挟持する挟持金具１１を有しているが、電線３との接続形態が異なり、圧着端子４を使用せずに電線３を直接接続する形態となっている。
電線接続部１２は、直方体形状のハウジング９ａの天面に電線挿入孔２１を有し、挟持金具１１に連結された板状の連結金具３１が左右に対向するように壁状に起立配置される。そして、連結金具３１の間となる中央にバネ板３２が配置され、電線挿入孔２１から挿入された電線３をバネ板３２の弾性で連結金具３１に密着させるよう構成されている。
【００１６】
バネ板３２は、中央にＵ字状に折り曲げて上方に突出させた固定部３２ａを有し、左右に下り傾斜部を有してハの字状に折り曲げて形成されている。電線接続部１２の中央には略三角形状の固定部材３３が配置され、ハウジング９ａの上部に設けられた凹部２２とこの固定部材３３とで、固定部３２ａが保持されてバネ板３２は固定されている。
こうして、電線接続部１２は左右対称に形成されて、電線挿入孔２１は左右それぞれの連結金具３１に対して計４カ所設けられ、最大４本の電線３の接続を可能としている。
尚、上記形態と同様に、開放された前面は図４に示すように閉塞板１０ａで閉塞される。また、３ａは電線３の被覆を剥いだ芯線である。
【００１７】
図５は上記分岐用端子台１を銅バー２に取り付けた説明図であり、１ａが圧着端子４を用いて電線３を接続する端子台、１ｂが電線３を直接挿入して連結される端子台である。図５に示す様に、銅バー２の側部を挿入して挟持するスライド操作で容易に電線３を接続させることができる。
尚、Ｍ１，Ｍ２は、従来の分岐配線の形態を示し、Ｍ１はねじ７を銅バー２の孔２ａに挿入してして電線を接続する形態、Ｍ２はボルト８を使用して銅バーに電線を接続する形態を示している。
【００１８】
このように、上方から挿入した電線３を直接接続できるため、簡易な作業で銅バー２から分岐配線できる。また、電線３の挿入方向が分岐用端子台１を銅バー２へ接続する方向と同一であるため、分岐用端子台１を別途保持操作することなく、銅バー２に装着した分岐用端子台１に電線３を容易に挿入できる。
そして、銅バー２の側部を挟持操作するだけで電線３を銅バー２に接続させることができ、銅バー２に電線３をねじ止めするための孔２ａが設けられていなくても、また銅バー２に対してねじ締め操作すること無く、簡易な操作で銅バー２から分岐配線することができる。
【００１９】
図６は、分岐用端子台１の更に他の例を示し、圧着端子４を使用して電線３を接続する他の形態を示している。図６（ａ）は分岐用端子台１の内部構造を示した側面説明図、図６（ｂ）は閉塞板を取り付けた斜視説明図であり、上記図１とは電線３の挿入方向が異なっている。以下、具体的に説明する。但し、図１と共通する構成要素には同一の符号を付与して説明を省略する。
【００２０】
下方に銅バー２を挟持する挟持金具１１を有し、上部に電線接続部１２を有している構成は、図１と同様であるが、挟持金具１１から連続形成されている端子座１３は縦向きに配置され、圧着端子４を端子座１３に密着させるねじ１４は前後方向に向けて配置され、前方からねじ締め操作するよう構成されている。
そのため、ハウジング９ｂの天面に圧着端子４を挿入する挿入孔１５が設けられている。また、ハウジング９ｂの開放された前面を閉塞する閉塞板１０ｂに、ねじ１４を操作するための操作孔１６が設けられている。
このように、電線３に接続された圧着端子４を上方から挿入するよう構成しても良く、図１に示す構成の分岐用端子台１と同様の効果を奏する。
【００２１】
尚、上記実施形態は、銅バー２の幅方向を縦に配置した構成を説明したが、幅方向を横向きにして複数の銅バー２を取付面に直交する上下方向に重ねて配設した構成に対しても本発明の分岐用端子台１は適用できる。ハウジング９，９ａ、９ｂの下端を挿入するスペースさえ銅バー２の間にあれば、分岐用端子台１を横向きにして銅バー２に横方向から接続できる。
【符号の説明】
【００２２】
１・・分岐用端子台、２・・銅バー、４・・圧着端子（端子金具）、９，９ａ，９ｂ・・ハウジング、１０，１０ａ，１０ｂ・・閉塞板、１１・・挟持金具、１２・・電線接続部、１３・・端子座（座金）、１４・・ねじ、２１・・電線挿入孔、３１・・連結金具、３２・・バネ板（圧接ばね）。
【図１】
2020080253.tif 000003
【図２】
2020080253.tif 000004
【図３】
2020080253.tif 000005
【図４】
2020080253.tif 000006
【図５】
2020080253.tif 000007
【図６】
2020080253.tif 000008
【図７】
2020080253.tif 000009